(57)【要約】【課題】  多数の楽曲を保存できる再生装置において、ユーザの好みに合う楽曲の推薦される可能性を高くする。【解決手段】  楽曲の名前を有するプレイリストであって、ネットワーク上に公開されてユーザによる内容の更新が可能とされているプレイリストを利用する。楽曲のデジタルデータを保存するハードディスク装置２６と、プレイリストをダウンロードする送受信回路２８とを設ける。プレイリストに含まれる楽曲の名前を表示するＬＣＤ１１と、その表示された名前のうちの１つを指定するキー１２、１３とを設ける。このキー１２、１３により指定された楽曲のデジタルデータが、ハードディスク装置２６に保存されているとき、そのデジタルデータをハードディスク装置２６から取り出す回路２５と、この取り出されたデジタルデータをオーディオ信号として出力する出力回路３４とを設ける。【選択図】  図２
2006268957.tif 000002
【特許請求の範囲】
【請求項１】
コンテンツの名前を有するプレイリストであって、ネットワーク上に公開されてユーザによる内容の更新が可能とされているプレイリストを利用する再生装置において、
コンテンツのデジタルデータを保存する記憶装置と、
上記プレイリストをダウンロードする送受信回路と、
上記プレイリストに含まれるコンテンツの名前を表示するディスプレイと、
その表示された名前のうちの１つを指定するポインティングデバイスと、
このポインティングデバイスにより指定されたコンテンツのデジタルデータが、上記記憶装置に保存されているとき、そのデジタルデータを上記記憶装置から取り出す回路と、
この取り出されたデジタルデータを出力する出力回路と
を有する再生装置。
【請求項２】
請求項１に記載の再生装置において、
上記ポインティングデバイスにより指定されたコンテンツのデジタルデータが、上記記憶装置に保存されていないとき、そのデジタルデータを上記ネットワーク上のサーバから取り出し、
この取り出したデジタルデータを上記出力回路により出力する
ようにした再生装置。
【請求項３】
請求項２に記載の再生装置において、
上記プレイリストが、ユーザが望むコンテンツの再生シチュエーションにしたがって階層化されているとき、その階層を上記ポインティングデバイスにより選択する
ようにした再生装置。
【請求項４】
請求項３に記載の再生装置において、
上記プレイリストが、このプレイリストの評価点を示すデータを有するとき、その評価点を上記ディスプレイに表示するとともに、
その評価点を更新して上記サーバにアップロードする
ようにした再生装置。
【請求項５】
請求項３に記載の再生装置において、
上記プレイリストが、このプレイリストに含まれるコンテンツについてのコメントを有するとき、そのコメントを上記ディスプレイに表示するとともに、
別のコメントを上記サーバにアップロードして上記プレイリストの有するコメントに上記別のコメントを追加する
ようにした再生装置。
【請求項６】
請求項３に記載の再生装置において、
上記プレイリストが、このプレイリストの評価点を示すデータを有するとき、上記記憶装置に保存されているコンテンツの再生状況に応じて上記評価点を自動的に更新して上記サーバにアップロードする
ようにした再生装置。
【請求項７】
請求項２に記載の再生装置において、
上記デジタルデータを上記ネットワーク上のサーバから取り出すとき、そのデジタルデータにより再生されるコンテンツの試験的な再生が可能とされ、
ユーザが指定したとき、そのデジタルデータが上記記憶装置に保存される
ようにした再生装置。
【発明の詳細な説明】
【技術分野】
【０００１】
この発明は、楽曲などの再生装置に関する。
【背景技術】
【０００２】
音楽再生機器として、ハードディスク装置や不揮発性メモリなどの大容量の記憶装置を内蔵した再生機器が主流になりつつある。この再生機器によれば、何千曲、何万曲という膨大な数の楽曲を保存することができる。
【０００３】
例えば、ハードディスク装置の容量が100GBの場合、楽曲の１曲の長さが３分であるとすれば、3400曲以上を保存することができる。さらに、楽曲のデジタルオーディオデータをＭＰ３方式によりエンコードをすれば、そのデータ量を1/10〜1/12に圧縮することができるので、４万曲以上を保存することができる。
【０００４】
したがって、このような音楽再生装置によれば、ユーザは常に身近に楽曲を用意し、あるいは携帯し、その中から好きな楽曲を聴取することが可能となる。
【０００５】
しかしながら、１台の再生装置に上記のように多数の楽曲が用意されていると、そのときの気分や好みに合う楽曲を探し出すことが困難になってしまう。
【０００６】
そこで、プレイリストを共有する方法が考えられている。この場合、プレイリストは、一人のユーザが自分の好みで楽曲を選択し、その楽曲の曲名を集めたリストである。例えば、海岸をドライブするときに聞きたい楽曲の曲名を集め、これをリスト化してプレイリストとするものである。
【０００７】
そして、このプレイリストを友人や知人などとの間で交換や閲覧を可能とすれば、楽曲を選択するときの手がかりとすることができる。したがって、この方法によれば、聴きたい楽曲の選択が容易になる。
【０００８】
また、同じような好みを有するメンバによりコミュニティを形成し、情報を交換する方法もある。この方法によれば、コミュニティのメンバは、他のメンバの明示する好みによる幅の広い嗜好という恩恵を享受することができる。
【０００９】
なお、先行技術文献として例えば以下のものがある。
【特許文献１】特開２００４−１３６５３号公報
【特許文献２】特開２００４−４６５７５号公報
【発明の開示】
【発明が解決しようとする課題】
【００１０】
ところが、上記のプレイリストを共有する方法の場合には、単にプレイリストを交換・閲覧可能としているだけなので、単に一個人の主観において自分の好みや趣味を他人に紹介しているに過ぎず、紹介された側の好みや状況を十分に考慮していない。
【００１１】
この結果、次のような問題を生じてしまう。  
・プレイリストに紹介されている曲が、自分の好みに合わないことが多い。  
・プレイリストに紹介されている曲が、自分の再生機器に保存されていないときには、聴取することができない。  
・プレイリストの内容について意見を述べるときには、メールや電話など他の通信手段を使用する必要があり、手軽に意見交換ができない。また、その情報を多人数でシェアすることもできない。  
・人からもらったプレイリストが多くの人にとって、どの程度支持されているかがわからない。
【００１２】
また、コミュニティを構成する方法の場合には、交換される情報が聴きたい曲と直接結び付かないことがある。
【００１３】
この発明は、以上のような点にかんがみ、ユーザの嗜好に合う楽曲を容易に選択できるとともに、ユーザ同士で推薦曲の情報を交換し合える状況を提供し、人と人とのコミュニケーションまでもを楽しむことを可能とするものである。
【課題を解決するための手段】
【００１４】
この発明においては、
コンテンツの名前を有するプレイリストであって、ネットワーク上に公開されてユーザによる内容の更新が可能とされているプレイリストを利用する再生装置において、
コンテンツのデジタルデータを保存する記憶装置と、
上記プレイリストをダウンロードする送受信回路と、
上記プレイリストに含まれるコンテンツの名前を表示するディスプレイと、
その表示された名前のうちの１つを指定するポインティングデバイスと、
このポインティングデバイスにより指定されたコンテンツのデジタルデータが、上記記憶装置に保存されているとき、そのデジタルデータを上記記憶装置から取り出す回路と、
この取り出されたデジタルデータを出力する出力回路と
を有する再生装置
とするものである。
【発明の効果】
【００１５】
この発明によれば、例えば音楽再生の場合であれば、ユーザの音楽の聴取スタイルに着目し、ユーザの望む音楽聴取のシチュエーションを複数設定し、そのシチュエーションごとにプレイリストを交換でき、多くの人により評価されることで、おのずと多くのプレイリストが多く流通する。この結果、ユーザの好みに合う楽曲の推薦される可能性が高くなる。
【発明を実施するための最良の形態】
【００１６】
〔１〕  再生装置の外観の例
図１は、この発明による再生装置１０の外観の一例を示す。この例においては、再生装置１０を携帯用に構成した場合である。なお、この発明において、「楽曲」あるいは「音楽」には、一般の楽曲や音楽以外にも、詩や物語りなどの朗読、落語や漫才などの演芸、スピーチ、ニュース、スポーツの実況など、音響により表現される情報を含むものとする。
【００１７】
この再生装置１０は全体が偏平の直方体状に構成され、その前面の上部にディスプレイ１１を有し、下部に操作キー１２と、モードキー１３と、入力キー１４とを有する。ディスプレイ１１は、例えばカラーＬＣＤパネルにより構成され、ドットの組み合わせにより各種の文字（数字、記号などを含む。以下同様）をカラー表示するものである。そして、このディスプレイ１１には、選曲時には、後述するように、プレイリストなどが表示され、再生中は、その楽曲に関する情報が表示される。
【００１８】
また、操作キー１２は、ポインティングデバイスを構成するもので、ディスプレイ１１にカーソル１１Ｄが表示されているとき、そのカーソル１１Ｄを上下ディレクトリおよび左右方向に移動させるためのカーソルキー１２Ａと、カーソル位置の項目の選択あるいは実行を決定するための決定キー１２Ｂとが含まれる。さらに、操作キー１３は、音楽の再生や停止などを制御するためのキーである。また、入力キー１４は、コメントなどの文字を入力するためのキーである。
【００１９】
さらに、再生装置１０の上部には、伸縮式のアンテナ１５と、ヘッドホンジャック１６とを有する。アンテナ１５は、外部のサーバに対して無線によりデータのアクセスを実現するためのものであり、ジャック１６にはヘッドホン１７が接続される。
【００２０】
なお、決定キー１２Ｂは、押下可能なジョグダイヤルとすることができる。また、アンテナ１５も内蔵タイプのものとすることができる。
【００２１】
〔２〕  再生装置の回路構成および動作の例
図２は、再生装置１０の回路構成の一例を示す。この例においては、再生装置１０は大容量記憶装置を内蔵し、これに保存されている楽曲を聴取することができるとともに、外部のサーバとの通信機能をも有し、これにより内蔵の大容量記憶装置に保存されていない楽曲でも聴取できるようにした場合である。
【００２２】
そして、この例においては、再生装置１０は、一般的なバスアーキテクチャに構成されているとともに、制御回路２０がマイクロコンピュータにより構成されている。すなわち、ＣＰＵ２１がバス２９に接続され、このバス２９に、各種のプログラムの書き込まれたＲＯＭ２２と、ワークエリア用のＲＡＭ２３と、例えばフラッシュメモリにより構成された不揮発性メモリ２４とが接続される。
【００２３】
また、楽曲を保存するための大容量記憶装置として、この例においてはハードディスク装置２６が設けられ、これがハードディスクコントローラ２５を通じてバス２９に接続される。この場合、楽曲は、ハードディスク装置２６にデジタルオーディオデータの状態で保存されるが、この例においては、そのデジタルオーディオデータは、例えばＭＰ３形式によりエンコードされてデータ圧縮されているものとする。そして、ハードディスクコントローラ２５は、ＣＰＵ２１からの指示にしたがってハードディスク装置２６にデジタルオーディオデータを読み書きするものである。
【００２４】
さらに、送受信回路２８が設けられ、これがインターフェイス回路２７を通じてバス２９に接続される。この送受信回路２８は、無線により再生装置１０を外部のサーバ（あるいはそのアクセスポイント）に接続し、楽曲のデジタルオーディオデータのダウンロードおよびストリーミング形式での受信、プレイリストのダウンロード、電子掲示板へのアクセスなどを実現するためのものである。なお、送受信回路２８にはアンテナ１５が接続される。また、サーバに用意されている楽曲のデジタルオーディオデータは、例えばＭＰ３形式でエンコードされてデータ圧縮されているものとする。
【００２５】
さらに、ディスプレイ１１がディスプレイコントローラ３１を通じてバス２９に接続されるとともに、キー１２〜１４がインターフェイス回路３２を通じてバス２９に接続される。この場合、ディスプレイコントローラ３１は、ＣＰＵ２１から表示用のデータが供給されると、これを表示信号に変換してディスプレイ１１に供給するものであり、その結果、ディスプレイ１１には、ＣＰＵ２１から供給された表示用のデータに対応した文字が表示されるものである。
【００２６】
また、バス２９にデコーダ回路３３が接続され、このデコーダ回路３３が出力回路３４を通じてジャック１６に接続される。デコーダ回路３３は、これにＭＰ３形式のデジタルオーディオデータが供給されたとき、そのデジタルオーディオデータをもとのリニアなデジタルオーディオデータにデコードして出力回路３４に供給するものである。また、出力回路３４は、Ｄ／Ａコンバータ回路および出力アンプを有し、この出力回路３４に供給されたデジタルオーディオデータをアナログオーディオ信号にＤ／Ａ変換してジャック１６に出力するものである。
【００２７】
このような構成において、後述の〔４〕に示すようにしてハードディスク装置２６に保存されている楽曲の再生を指示した場合には、ハードディスクコントローラ２５によりハードディスク装置２６から指定した楽曲のデジタルオーディオデータが読み出される。この読み出されたデジタルオーディオデータが、ハードディスクコントローラ２５からＣＰＵ２１を通じてデコーダ回路３３に供給されてもとのリニアなデジタルオーディオデータにデコードされる。
【００２８】
そして、このデコードされたデジタルオーディオデータが出力回路３４においてアナログオーディオ信号にＤ／Ａ変換されてからジャック１６を通じてヘッドホン１７に供給される。したがって、ハードディスク装置２６に保存されている楽曲をヘッドホン１７により聴取することができる。
【００２９】
また、〔４〕に示すようにして外部のサーバに用意されている楽曲の聴取（試聴を含む）を指示した場合には、該当する楽曲のデジタルオーディオデータがサーバから取り出され、無線によりストリーミング形式で送信されてくる。
【００３０】
この送信信号がアンテナ１５により受信されて送受信回路２８に供給され、送受信回路２８からは指定した楽曲のデジタルオーディオデータが出力され、このデジタルオーディオデータが、インターフェイス回路２７からＣＰＵ２１を通じてデコーダ回路３３に供給されてもとのリニアなデジタルオーディオデータにデコードされる。
【００３１】
したがって、このデコードされたデジタルオーディオデータが出力回路３４においてアナログオーディオ信号にＤ／Ａ変換されてからヘッドホン１７に供給されるので、サーバに保存されている楽曲をヘッドホン１７により聴取することができる。
【００３２】
また、サーバに用意されている楽曲のダウンロードが許可されている場合には、その楽曲のデジタルオーディオデータがダウンロードされてハードディスク装置２６に保存される。したがって、以後、その楽曲をハードディスク装置２６から再生して聴取することができる。
【００３３】
〔３〕  ディスプレイ１１の表示例
図３は、選曲時におけるディスプレイ１１の表示画面の一例を示す。この表示画面に対するユーザの操作方法の詳細については後述するが、図３に示す表示画面においては、ディスプレイ１１の表示画面が左半分の子画面１１Ａと、右上半分の子画面１１Ｂと、右下半分の子画面１１Ｃとに分割される。
【００３４】
そして、この再生装置１０をサーバの接続すると、そのサーバから所定のデータがダウンロードされ、子画面１１Ａには、「シーンツリー」が表示される。すなわち、楽曲を聴取するときの条件には、状況、状態、目的などがあるが、ユーザが望む音楽の聴取シチュエーションを「シーン」と呼ぶものとする。すると、シーンツリーは、サーバから送信されてきたデータに基づいて、サーバに用意されているプレイリストを、階層化するとともに可視化したものである。したがって、シーンツリーにおいては、シーンはルートから離れた階層ほど細かく分類されている。そして、最下位層にプレイリストが表示される。
【００３５】
図３は、サーバＡにアクセスし、これに用意されているプレイリストをシーンツリー形式で表示した場合であり、シーンがツリー状に分類され、最下位層のプレイリストは、そのプレイリストの作成者の名前（ペンネームやハンドルなどを含む）により表示されている。また、図３は、ルートから最下位層に向かって
サーバＡ → ドライブお薦め曲 → 夏休みドライブ → dJさんのお薦め
の順にシーンを選択していった場合である。
【００３６】
この選択は、カーソルキー１２Ａを押して（キー１２Ｂがジョグダイヤルのときには、そのジョグダイヤルを回して）カーソル１１Ｄをシーンごとに移動させ、目的とするシーンで決定キー１２Ｂを押す操作を、各階層ごとに実行した結果である。また、最下位層としてプレイリストが表示されるとき、評価の高い順にランキングされて表示されるものである。すなわち、後述するように、プレイリストの内容は、プレイリストごとに他の多くのユーザにより評価され、この評価結果がサーバにおいて集計されてランキングされ、その評価の高い順にプレイリストが最下位層に表示されているものである。
【００３７】
そして、カーソル１１Ｄが目的とするプレイリストに位置したとき、決定キー１２Ｂを操作すると、このときのカーソル位置のプレイリストがサーバからダウンロードされ、子画面１１Ｂには、「現在のプレイリスト」の内容が表示される。
【００３８】
この「現在のプレイリスト」として表示されるプレイリストは、あるユーザが最初の作成者となって作成されたものである。また、このプレイリストは、その最初の作成者が、例えば再生装置１０やパーソナルコンピュータなどにより作成してサーバにアップロードしたものである。
【００３９】
さらに、サーバからダウンロードされたプレイリストから、これに含まれる楽曲の曲名（およびアーティスト名）が取り出され、これがリスト形式で表示されて子画面１１Ｂの表示内容とされるものである。また、この現在のプレイリストが表示されるとき、そのプレイリストに含まれる曲名は、再生装置１０に保存されている楽曲の曲名と、再生装置１０に保存されていない楽曲の曲名とが区別して表示される。
【００４０】
図３は、子画面１１Ａのシーンツリーのうち、djさんにより最初に作成されたプレイリスト「dJさんのお薦め」が選択され、このプレイリストに含まれる楽曲の曲名（およびアーティスト名）が表示されている場合である。
【００４１】
そして、このプレイリストの第３番目の曲名「夏の日の思い出」の前には、「試聴」のボタン１１Ｅと、「購入」のボタン１１Ｆとが表示されているが、これらのボタン１１Ｅ、１１Ｆは、対応する楽曲がこの再生装置１０に保存されていないので、表示されたものである。また、第１番目および第２番目の曲名の前には、ボタン１１Ｅ、１１Ｆが表示されていないが、これは、対応する楽曲がこの再生装置１０に保存されているためである。
【００４２】
さらに、子画面１１Ｂには、評価欄１１Ｇが表示される。この評価欄１１Ｇは、そのプレイリストについての一般のユーザの評価を記号および数値により示すものである。
【００４３】
また、現在のプレイリストがサーバからダウンロードされて子画面１１Ｂに表示されると同時に、子画面１１Ｃに「現在のプレイリストへのコメント」が表示される。このコメントも子画面１１Ｂのデータと同時にサーバからダウンロードされて表示されたものであり、子画面１１Ａで選択されているプレイリストに含まれる楽曲についてのコメントである。
【００４４】
そして、このコメントは電子掲示板に書き込まれた情報を加工・整形したものである。すなわち、プレイリストに関連して専用の電子掲示板が運営される。そして、この電子掲示板に、子画面１１Ａのシーンツリーに含まれるプレイリストの内容が公開され、各プレイリストに含まれる楽曲やアーティストについて、一般のユーザが感想や意見などのコメントを、プレイリストごとに書き込むことが可能とされる。この書き込みは、すでに書き込まれたコメントに追加される。そして、この書き込み結果が再生装置１０にダウンロードされ、子画面１１Ｃにコメントとして表示されるものである。
【００４５】
図３に示す子画面１１Ｃは、子画面１１Ａのシーンツリーのうち、プレイリスト「dJさんのお薦め」が選択され、このプレイリストに含まれる楽曲やアーティストについてのコメントが表示されている場合である。また、それぞれのコメントは、電子掲示板に書き込まれた感想や意見などである。
【００４６】
さらに、子画面１１Ｃには、評価ボタン１１Ｊおよび投稿ボタン１１Ｋが表示される。評価ボタン１１Ｊは、このとき表示されているプレイリストについて、一般のユーザが評価を行うときに操作するボタンであり、その評価結果が評価欄１１Ｇに反映される。また、投稿ボタン１１Ｋは、このとき表示されているプレイリストに、一般のユーザがコメントを追加するときに操作するボタンであり、このボタンを操作すると、上記のように電子掲示板へのコメントの書き込みが可能とされる。
【００４７】
〔４〕  表示画面に対する操作例
〔４−１〕  楽曲の再生
子画面１１Ｂに表示された曲名のうち、ボタン１１Ｅ、１１Ｆが表示されていない曲名にカーソル１１Ｄを移動させ、決定キー１２Ｂを押す。すると、この場合には、その曲名の楽曲がハードディスク装置２６に保存されているので、上述のように、ハードディスク装置２６からその楽曲のデジタルオーディオデータが取り出されてその楽曲の再生が実行され、ヘッドホン１７により聴取することが可能とされる。
【００４８】
なお、こうしてハードディスク装置２６から選択した楽曲は、通常の再生装置の場合と同様、モードキー１３の操作により一時停止や早送りなどを行うことができる。また、このとき、子画面１１Ｂに表示されている現在のプレイリストの楽曲のうち、ハードディスク装置２６に保存されている楽曲は、モードキー１３により選択や再生をスキップすることができる。
【００４９】
さらに、子画面１１Ｂに表示された曲名のうち、ボタン１１Ｅ、１１Ｆが表示されている曲名、例えば「夏の日の思い出」の試聴ボタン１１Ｅにカーソル１１Ｄを移動させて決定キー１２Ｂを押す。すると、この場合には、その曲名の楽曲が再生装置１０の保存されていないので、サーバにその楽曲のデジタルオーディオデータの配信がリクエストされ、この結果、サーバから対応する「夏の日の思い出」のデジタルデータがストリーミング形式で配信される。したがって、上述のようにしてその楽曲をヘッドホン１７により試聴することが可能となる。この場合、試聴は、対象とする楽曲の一部、例えば冒頭の30秒の部分やサビの部分とされる。したがって、ユーザはその楽曲を購入するかどうかを検討できることになる。
【００５０】
そして、購入する場合には、カーソル１１Ｄを購入ボタン１１Ｆに移動させて決定キー１２Ｂを押す。すると、その曲名の楽曲のデジタルデータがサーバからダウンロードされ、ハードディスク装置２６に保存される。なお、この購入時に必要とされるユーザ認証や料金の支払いなどについては、一般に実用化されている方法を採用することができる。
【００５１】
したがって、以後、図３の表示状態にした場合、子画面１１Ｂにおける曲名「夏の日の思い出」の前には、試聴ボタン１１Ｅおよび購入ボタン１１Ｆは表示されなくなる。また、その再生を決定すると、ハードディスク装置２６に保存されている「夏の日の思い出」が再生される。
【００５２】
〔４−２〕  プレイリストの内容に関する操作
図３の表示状態で子画面１１Ｃのプレイリストの評価ボタン１１Ｊを操作すると、その結果がサーバにアップロードされてサーバにおける該当するプレイリストの評価が更新される。そして、サーバはこれらの評価点を集計し、公開する。したがって、サーバの更新結果が再生装置１０に返送され、子画面１１Ｂにおける評価欄１１Ｇの表示が更新される。
【００５３】
また、投稿ボタン１１Ｋを操作すると、図示はしないが、再生装置１０は電子掲示板に接続されてディスプレイ１１の表示画面にはコメントの入力欄が表示され、入力キー１４により文字を入力できる状態となる。そこで、それまで表示されていたプレイリストの楽曲やアーティストについてコメントを入力し、最後に送信ボタン（書き込みボタン）を操作すると、その入力したコメントがサーバに送信されてサーバにおける該当するプレイリストに追加される。
【００５４】
そして、このコメントの追加されたプレイリストがこの再生装置１０に返送されるとともに、表示画面は図３の状態に復帰される。したがって、子画面１１Ｃにおけるコメントの表示が更新され、このとき入力したコメントが追加されて表示される。したがって、このコメントの追加により生きた情報を簡単に交換することができる。また、再生装置１０とサーバとの間で、常に通信を行なうことにより、表示されるプレイリストを常に最新の内容とされる。
【００５５】
〔５〕  プレイリストの例
図４は、プレイリストの内容の一例を示す。このプレイリストは、実際には例えばＸＭＬ形式であるが、図４においては、簡単のためテキスト形式でテーブル化して示す。
【００５６】
図４において、「ＵＲＬ」は、このプレイリストの保存先のＵＲＬを示し、「タイトル」は、このプレイリストに付けられた名前を示し、これは、子画面１１Ａのシーンツリーの最下位層に表示される名称であり、子画面１１Ｂ、１１Ｃにおけるタイトルでもある。また、「評価」および「評価点数」は、子画面１１Ｂの評価欄１１Ｇに示されるデータであり、「楽曲数」は、このプレイリストが扱っている楽曲の数であり、子画面１１Ｂに表示される曲名の数に等しい。
【００５７】
さらに、「楽曲ｉ  曲名」および「楽曲ｉ  アーティスト」（図３の場合、ｉ＝１〜３）は、このプレイリストが扱っている楽曲の曲名およびアーティスト名であり、これが子画面１１Ｂにリストとして表示される。また、「コメント数」は、このプレイリストに含まれるコメントの数であり、「コメントｊ」（図３の場合、ｊ＝１〜３）は、子画面１１Ｃに表示されるコメントである。そして、電子掲示板からプレイリストの内容に対してコメントを書き込んだときには、そのコメントが、コメント４、コメント５、・・・のように追加されていく。
【００５８】
〔６〕  まとめ
上述の再生装置１０によれば、ユーザの音楽の聴取スタイルに着目し、ユーザの望む音楽聴取のシチュエーションを複数設定し、そのシチュエーションごとにプレイリストを交換できるようにしているので、ユーザの好みに合う楽曲の推薦される可能性が高くなる。
【００５９】
また、自機が推薦曲を保存していない場合でも、試聴したり、購入したりすることができる。さらに、プレイリストに対するコメントが公開されるので、プレイリストを選択するときの情報源となる。また、電子掲示板を通じてプレイリストに対するコメントが交換されるので、コミュニティが形成され、人と人との間に活きた情報が流通し、常に飽きのこない最新の楽曲情報を入手することができる。
【００６０】
さらに、プレイリストが参照者からの評価が高い順にランキングされているので、自分の好みに合う楽曲を推薦される可能性が高くなる。また、評価点を確認できる。さらに、常に最新のプレイリスト情報を容易に入手することができる。
【００６１】
また、プレイリストにテーマを持たせることにより、よりその場の雰囲気に合った楽曲情報の交換ができる。さらに、再生装置１０を操作することによりプレイリストに対する評価点が自動算出され、この情報がサーバに自動的にアップロードされるので、サーバ上のプレイリストの人気ランキングが自動的に形成される。さらに、以上のことから新たな音楽の楽しみ方・聴き方を享受することができる。
【００６２】
〔７〕  その他
上述において、再生装置１０が複数のサーバＡ、Ｂ、Ｃ、・・・にアクセスできる場合には、それらのサーバＡ、Ｂ、Ｃ・・・をシーンツリーのルートに表示し、ユーザが目的とするサーバを選択すると、そのサーバに用意されているプレイリストがシーンツリーとして表示されるようにすることができる。
【００６３】
また、プレイリストのデータ形式はＸＭＬのように拡張可能な形式であれば、テキスト形式でもバイナリ形式でもよい。さらに、上述においては、ＵＲＬによりプレイリストの保存先を指定しているが、その指定子は、ＵＲＬのようにネットワーク上で一意に保存先を指定できるものであれば、他の形式とすることもできる。
【００６４】
さらに、上述においては、子画面１１Ｂに表示されるプレイリストの評価は、ユーザが評価ボタン１１Ｊを操作することにより明示的に行っているが、例えば、プレイリストの楽曲をスキップ再生した場合は、評価点を再生装置１０において自動的に減点したり、繰り返し何度も再生している楽曲の場合には、高得点を与えるようにすることもできる。また、再生装置１０において評価点を自動的に算出してサーバにアップロードするようにすれば、人気のある楽曲のみが上位にランキングされることになる。
【００６５】
さらに、上述においては、コンテンツが音響の場合であるが、動画や静止画などの映像をコンテンツとする場合も同様に、この発明を適用することができる。
【００６６】
〔略語の一覧〕
ＣＰＵ：Central Processing Unit
Ｄ／Ａ：Digital to Analog
ＬＣＤ：Liquid Crystal Display
ＭＰ３：MPEG-1/Audio Layer 3
ＲＡＭ：Random Access Memory
ＲＯＭ：Read Only Memory
ＵＲＬ：Uniform Resource Locator
ＸＭＬ：eXtensible Markup Language
【図面の簡単な説明】
【００６７】
【図１】この発明の一形態の外観を示す正面図である。
【図２】この発明の一形態を示す系統図である。
【図３】この発明による表示内容の一形態を示す図である。
【図４】この発明を説明するたの図である。
【符号の説明】
【００６８】
１０…再生装置、１１…ディスプレイ、１２…操作キー、１３…モードキー、１４…入力キー、１５…アンテナ、１６…ヘッドホンジャック、１７…ヘッドホン、２０…制御回路、２１…ＣＰＵ、２２…ＲＯＭ、２３…ＲＡＭ、２４…不揮発性メモリ、２６…ハードディスク装置、２８…送受信回路、３３…デコーダ回路
【図１】
2006268957.tif 000003
【図２】
2006268957.tif 000004
【図３】
2006268957.tif 000005
【図４】
2006268957.tif 000006
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
コンテンツの名前を有するプレイリストであって、ネットワークを通じてユーザによる内容の更新が可能とされているプレイリストを利用する再生装置において、
コンテンツのデジタルデータを保存する記憶装置と、
上記プレイリストをダウンロードする送受信回路と、
上記プレイリストに含まれるコンテンツの名前を表示するディスプレイと、
その表示された名前のうちの１つを指定するポインティングデバイスと、
このポインティングデバイスにより指定されたコンテンツのデジタルデータが、上記記憶装置に保存されているとき、そのデジタルデータを上記記憶装置から取り出す回路と、
この取り出されたデジタルデータを出力する出力回路と
を有する再生装置。
【請求項２】
請求項１に記載の再生装置において、
上記ポインティングデバイスにより指定されたコンテンツのデジタルデータが、上記記憶装置に保存されていないとき、そのデジタルデータを上記ネットワーク上のサーバから取り出し、
この取り出したデジタルデータを上記出力回路により出力する
ようにした再生装置。
【請求項３】
請求項２に記載の再生装置において、
上記プレイリストが、ユーザが望むコンテンツの再生シチュエーションにしたがって階層化されているとき、その階層を上記ポインティングデバイスにより選択する
ようにした再生装置。
【請求項４】
請求項３に記載の再生装置において、
上記プレイリストが、このプレイリストの評価点を示すデータを有するとき、その評価点を上記ディスプレイに表示するとともに、
その評価点を更新して上記サーバにアップロードする
ようにした再生装置。
【請求項５】
請求項３に記載の再生装置において、
上記プレイリストが、このプレイリストに含まれるコンテンツについてのコメントを有するとき、そのコメントを上記ディスプレイに表示するとともに、
別のコメントを上記サーバにアップロードして上記プレイリストの有するコメントに上記別のコメントを追加する
ようにした再生装置。
【請求項６】
請求項３に記載の再生装置において、
上記プレイリストが、このプレイリストの評価点を示すデータを有するとき、上記記憶装置に保存されているコンテンツの再生状況に応じて上記評価点を自動的に更新して上記サーバにアップロードする
ようにした再生装置。
【請求項７】
請求項２に記載の再生装置において、
上記デジタルデータを上記ネットワーク上のサーバから取り出すとき、そのデジタルデータにより再生されるコンテンツの試験的な再生が可能とされ、
ユーザが指定したとき、そのデジタルデータが上記記憶装置に保存される
ようにした再生装置。
【請求項８】
コンテンツの名前を有するプレイリストであって、ネットワークを通じてユーザによる内容の更新が可能とされているプレイリストを利用して上記コンテンツの再生をする方法において、
コンテンツのデジタルデータを記憶装置に保存するとともに、
上記プレイリストを上記ネットワークを通じてダウンロードし、
このダウンロードしたプレイリストに含まれるコンテンツの名前をディスプレイに表示し、
この表示した名前のうちの１つを指定したとき、その名前を指定したコンテンツのデジタルデータが、上記記憶装置に保存されているかどうかを判別し、
この判別の結果、上記名前を指定したコンテンツのデジタルデータが上記記憶装置に保存されているとき、そのデジタルデータを上記記憶装置から取り出し、
この取り出したデジタルデータを出力する
ようにした再生方法。
【手続補正３】
【補正対象書類名】明細書
【補正対象項目名】０００１
【補正方法】変更
【補正の内容】
【０００１】
この発明は、楽曲データなどの再生装置および再生方法に関する。
【手続補正４】
【補正対象書類名】明細書
【補正対象項目名】０００２
【補正方法】変更
【補正の内容】
【０００２】
音楽再生機器として、ハードディスク装置や不揮発性メモリなどの大容量の記憶装置を内蔵した再生機器が主流になりつつある。この再生機器によれば、何千曲、何万曲という膨大な数の楽曲データを保存することができる。
【手続補正５】
【補正対象書類名】明細書
【補正対象項目名】００１４
【補正方法】変更
【補正の内容】
【００１４】
この発明においては、
コンテンツの名前を有するプレイリストであって、ネットワークを通じてユーザによる内容の更新が可能とされているプレイリストを利用する再生装置において、
コンテンツのデジタルデータを保存する記憶装置と、
上記プレイリストをダウンロードする送受信回路と、
上記プレイリストに含まれるコンテンツの名前を表示するディスプレイと、
その表示された名前のうちの１つを指定するポインティングデバイスと、
このポインティングデバイスにより指定されたコンテンツのデジタルデータが、上記記憶装置に保存されているとき、そのデジタルデータを上記記憶装置から取り出す回路と、
この取り出されたデジタルデータを出力する出力回路と
を有する再生装置
とするものである。
【手続補正６】
【補正対象書類名】明細書
【補正対象項目名】００１８
【補正方法】変更
【補正の内容】
【００１８】
また、操作キー１２は、ポインティングデバイスを構成するもので、ディスプレイ１１にカーソル１１Ｄが表示されているとき、そのカーソル１１Ｄを上下ディレクトリおよび左右方向に移動させるためのカーソルキー１２Ａと、カーソル位置の項目の選択あるいは実行を決定するための決定キー１２Ｂとが含まれる。さらに、モードキー１３は、音楽の再生や停止などを制御するためのキーである。また、入力キー１４は、コメントなどの文字を入力するためのキーである。
【手続補正７】
【補正対象書類名】明細書
【補正対象項目名】００２１
【補正方法】変更
【補正の内容】
【００２１】
〔２〕  再生装置の回路構成および動作の例
図２は、再生装置１０の回路構成の一例を示す。この例においては、再生装置１０は大容量記憶装置を内蔵し、これにデジタルオーディオデータの状態で保存されている楽曲を聴取することができるとともに、外部のサーバとの通信機能をも有し、これにより内蔵の大容量記憶装置にデジタルオーディオデータが保存されていない楽曲でも聴取できるようにした場合である。
【手続補正８】
【補正対象書類名】明細書
【補正対象項目名】００２３
【補正方法】変更
【補正の内容】
【００２３】
また、楽曲データを保存するための大容量記憶装置として、この例においてはハードディスク装置２６が設けられ、これがハードディスクコントローラ２５を通じてバス２９に接続される。この場合、楽曲データは、ハードディスク装置２６にデジタルオーディオデータの状態で保存されるが、この例においては、そのデジタルオーディオデータは、例えばＭＰ３形式によりエンコードされてデータ圧縮されているものとする。そして、ハードディスクコントローラ２５は、ＣＰＵ２１からの指示にしたがってハードディスク装置２６にデジタルオーディオデータを読み書きするものである。
【手続補正９】
【補正対象書類名】明細書
【補正対象項目名】００３４
【補正方法】変更
【補正の内容】
【００３４】
そして、この再生装置１０をサーバと接続すると、そのサーバから所定のデータがダウンロードされ、子画面１１Ａには、「シーンツリー」が表示される。すなわち、楽曲を聴取するときの条件には、状況、状態、目的などがあるが、ユーザが望む音楽の聴取シチュエーションを「シーン」と呼ぶものとする。すると、シーンツリーは、サーバから送信されてきたデータに基づいて、サーバに用意されているプレイリストを、階層化するとともに可視化したものである。したがって、シーンツリーにおいては、シーンはルートから離れた階層ほど細かく分類されている。そして、最下位層にプレイリストが表示される。
【手続補正１０】
【補正対象書類名】明細書
【補正対象項目名】００４０
【補正方法】変更
【補正の内容】
【００４０】
図３は、子画面１１Ａのシーンツリーのうち、dJさんにより最初に作成されたプレイリスト「dJさんのお薦め」が選択され、このプレイリストに含まれる楽曲の曲名（およびアーティスト名）が表示されている場合である。
【手続補正１１】
【補正対象書類名】明細書
【補正対象項目名】００４１
【補正方法】変更
【補正の内容】
【００４１】
そして、このプレイリストの第３番目の曲名「夏の日の思い出」の前には、「試聴」のボタン１１Ｅと、「購入」のボタン１１Ｆとが表示されているが、これらのボタン１１Ｅ、１１Ｆは、対応する楽曲データがこの再生装置１０に保存されていないので、表示されたものである。また、第１番目および第２番目の曲名の前には、ボタン１１Ｅ、１１Ｆが表示されていないが、これは、対応する楽曲データがこの再生装置１０に保存されているためである。
【手続補正１２】
【補正対象書類名】明細書
【補正対象項目名】００４７
【補正方法】変更
【補正の内容】
【００４７】
〔４〕  表示画面に対する操作例
〔４−１〕  楽曲の再生
子画面１１Ｂに表示された曲名のうち、ボタン１１Ｅ、１１Ｆが表示されていない曲名にカーソル１１Ｄを移動させ、決定キー１２Ｂを押す。すると、この場合には、その曲名の楽曲データがハードディスク装置２６に保存されているので、上述のように、ハードディスク装置２６からその楽曲のデジタルオーディオデータが取り出されてその楽曲の再生が実行され、ヘッドホン１７により聴取することが可能とされる。
【手続補正１３】
【補正対象書類名】明細書
【補正対象項目名】００６７
【補正方法】変更
【補正の内容】
【００６７】
【図１】この発明の一形態の外観を示す正面図である。
【図２】この発明の一形態を示す系統図である。
【図３】この発明による表示内容の一形態を示す図である。
【図４】この発明を説明するための図である。